(57)【要約】【課題】人工的な光源を利用した両面照明を行うことができ、かつ蓄光物質の自己発光機能を利用した両面照明をも行える。【解決手段】照明装置１は、一対の主面方向に発光する発光部３と、一方の面に沿って離隔して配置される複数の第１溝を有する第１ベース部と、複数の第１溝内に蓄光物質を含む光制御材料を充填して形成される複数の第１ルーバー部と、を有する第１光制御層２と、発光部を基準として第１光制御層とは反対側に配置され、一方の面に沿って離隔して配置される複数の第２溝を有する第２ベース部と、複数の第２溝内に蓄光物質を含む光制御材料を充填して形成される複数の第２ルーバー部と、を有する第２光制御層４と、を備える。【選択図】図１
2015203705.tif 000002
【特許請求の範囲】
【請求項１】
対向する第１主面および第２主面を有し、これら第１主面側および第２主面側から光を発光する発光部と、
前記発光部の前記第１主面に対向して配置され、蓄光物質を含有する第１光制御層と、
前記発光部の前記第２主面に対向して配置され、蓄光物質を含有する第２光制御層と、を備える照明装置。
【請求項２】
前記第１光制御層および前記第２光制御層の少なくとも一方は、前記蓄光物質を充填するための複数の溝を有する請求項１に記載の照明装置。
【請求項３】
前記第１光制御層は、前記第１主面上の少なくとも一方向に沿って離隔して配置される複数の第１溝を有する第１ベース部と、前記複数の第１溝内に前記蓄光物質を含む光制御材料を充填して形成される第１ルーバー部と、を有し、
前記第２光制御層は、前記第２主面上の少なくとも一方向に沿って離隔して配置される複数の第２溝を有する第２ベース部と、前記複数の第２溝内に前記蓄光物質を含む光制御材料を充填して形成される第２ルーバー部と、を有する請求項２に記載の照明装置。
【請求項４】
前記第１光制御層の複数が、それぞれの前記第１ルーバー部の長手方向が相違するように積層され、
前記第２光制御層の複数が、それぞれの前記第２ルーバー部の長手方向が相違するように積層される請求項３に記載の照明装置。
【請求項５】
前記蓄光物質は、前記発光部の発光により生じた光を吸収および蓄光し、前記発光部が発光を停止してから所定期間内は蓄光した光を放出して発光する請求項１乃至４のいずれかに記載の照明装置。
【請求項６】
前記第１光制御層の前記発光部が配置される側とは反対側に配置され、前記第１光制御層を通過した光により照明される絵柄が形成された第１絵柄層を備える請求項１乃至５のいずれかに記載の照明装置。
【請求項７】
前記第２光制御層の前記発光部が配置される側とは反対側に配置され、前記第２光制御層を通過した光により照明される絵柄が形成された第２絵柄層を備える請求項６に記載の照明装置。
【請求項８】
前記第１絵柄層に形成される絵柄と前記第２絵柄層に形成される絵柄とは同一である請求項７に記載の照明装置。
【請求項９】
前記第１絵柄層および前記第２絵柄層は、光透過性を有する請求項７または８に記載の照明装置。
【請求項１０】
前記第１光制御層と前記発光部との間に配置され、前記発光部からの光により照明される絵柄が形成された第１絵柄層を備える請求項１乃至５のいずれかに記載の照明装置。
【請求項１１】
前記第２光制御層と前記発光部との間に配置され、前記発光部からの光により照明される絵柄が形成された第２絵柄層を備える請求項１０に記載の照明装置。
【請求項１２】
前記第１絵柄層および前記第２絵柄層は、半透過性および半反射性を有する請求項１１に記載の照明装置。
【請求項１３】
前記絵柄は、前記発光部が発光している最中は前記発光部からの光にて照明され、前記発光部が発光を停止してから所定期間内は、前記蓄光物質が発光した光にて照明される請求項６乃至１２のいずれかに記載の照明装置。
【請求項１４】
前記絵柄は、英数文字記号情報、図形情報および画像情報の少なくとも一つを含む請求項６乃至１３のいずれかに記載の照明装置。
【請求項１５】
前記発光部は、
一対の主面から面発光する導光板と、
前記一対の主面に連なる対向配置された一対の側面に沿って配置される一対の光源と、を有する請求項１乃至１４のいずれかに記載の照明装置。
【請求項１６】
前記発光部は、一方向に延在する線状光源、または一方向に配列された複数の点光源からなる線状光源を有する請求項１乃至１４のいずれかに記載の照明装置。
【請求項１７】
対向する第１主面および第２主面を有し、これら第１主面および第２主面から光を発光する発光部と、
前記発光部の前記第１主面に対向して配置され、蓄光物質を含有する第１光制御層と、
前記発光部の前記第２主面に対向して配置され、蓄光物質を含有する第２光制御層と、
前記第１光制御層の前記発光部が配置される側とは反対側、前記第２光制御層の前記発光部が配置される側とは反対側、前記第１光制御層と前記発光部との間、および前記第２光制御層と前記発光部との間の少なくとも一つに配置され、前記発光部および前記蓄光物質からの光で照明される絵柄が形成された絵柄層とを備える照明看板装置。
【発明の詳細な説明】
【技術分野】
【０００１】
本発明は、照明装置と、照明装置によって絵柄を照明する照明看板装置とに関する。
【背景技術】
【０００２】
照明装置や照明看板装置では、消費電力を低減する種々の取り組みがなされている。その一つとして、照明装置の光を吸収および蓄光し、照明装置が消灯した後でも蓄光した光を用いて自然発光する蓄光材を利用して、消費電力の低減を図る技術が提案されている（特許文献１，２参照）
【先行技術文献】
【特許文献】
【０００３】
【特許文献１】特開２００３−２４２８１５号公報
【発明の概要】
【発明が解決しようとする課題】
【０００４】
特許文献１に記載された発光装置では、透明パネルの裏面側に、蓄光顔料を含む再帰反射シートを配置し、透明パネルの一端部に配置される光源がオフの場合も、再帰反射シートが自己発光するようにしている。
【０００５】
しかしながら、特許文献１を含めた従来の発光装置や照明装置では、蓄光顔料等の蓄光物質による自己発光機能を照明光として利用するという着想はあるものの、一方の面側でしか自己発光させることができない。
【０００６】
最近、普及が進んでいる照明看板装置では、宣伝効果を高めるために、対向する両面での照明機能が必要とされており、この種の照明看板装置に蓄光物質を組み込んだ場合も、両面側での自己発光を実現するのが望ましい。ところが、従来は、蓄光物質自体の材料コストが高いことや、蓄光物質の自己発光量が少量であることなどが制限となり、蓄光物質を用いた両面発光については何ら提案されていない。
【０００７】
本発明は、上述した課題を解決するためになされたものであり、その目的は、人工的な光源を利用した両面照明を行うことができ、かつ蓄光物質の自己発光機能を利用した両面照明をも行うことができる照明装置および照明看板装置を提供することにある。
【課題を解決するための手段】
【０００８】
上記の課題を解決するために、本発明の一態様では、対向する第１主面および第２主面を有し、これら第１主面側および第２主面側から光を発光する発光部と、
前記発光部の前記第１主面に対向して配置され、蓄光物質を含有する第１光制御層と、
前記発光部の前記第２主面に対向して配置され、蓄光物質を含有する第２光制御層と、を備える照明装置が提供される。
【０００９】
前記第１光制御層および前記第２光制御層の少なくとも一方は、前記蓄光物質を充填するための複数の溝を有していてもよい。
【００１０】
前記第１光制御層は、前記第１主面上の少なくとも一方向に沿って離隔して配置される複数の第１溝を有する第１ベース部と、前記複数の第１溝内に前記蓄光物質を含む光制御材料を充填して形成される第１ルーバー部と、を有していてもよく、
前記第２光制御層は、前記第２主面上の少なくとも一方向に沿って離隔して配置される複数の第２溝を有する第２ベース部と、前記複数の第２溝内に前記蓄光物質を含む光制御材料を充填して形成される第２ルーバー部と、を有していてもよい。
【００１１】
前記第１光制御層の複数が、それぞれの前記第１ルーバー部の長手方向が相違するように積層されてもよく、
前記第２光制御層の複数が、それぞれの前記第２ルーバー部の長手方向が相違するように積層されてもよい。
【００１２】
前記蓄光物質は、前記発光部の発光により生じた光を吸収および蓄光し、前記発光部が発光を停止してから所定期間内は蓄光した光を放出して発光するものであってもよい。
【００１３】
前記第１光制御層の前記発光部が配置される側とは反対側に配置され、前記第１光制御層を通過した光により照明される絵柄が形成された第１絵柄層を備えていてもよい。
【００１４】
前記第２光制御層の前記発光部が配置される側とは反対側に配置され、前記第２光制御層を通過した光により照明される絵柄が形成された第２絵柄層を備えていても。
【００１５】
前記第１絵柄層に形成される絵柄と前記第２絵柄層に形成される絵柄とは同一であってもよい。
【００１６】
前記第１絵柄層および前記第２絵柄層は、光透過性を有していてもよい。
【００１７】
前記第１光制御層と前記発光部との間に配置され、前記発光部からの光により照明される絵柄が形成された第１絵柄層を備えていてもよい。
【００１８】
前記第２光制御層と前記発光部との間に配置され、前記発光部からの光により照明される絵柄が形成された第２絵柄層を備えていてもよい。
【００１９】
前記第１絵柄層および前記第２絵柄層は、半透過性および半反射性を有していてもよい。
【００２０】
前記絵柄は、前記発光部が発光している最中は前記発光部からの光にて照明され、前記発光部が発光を停止してから所定期間内は、前記蓄光物質が発光した光にて照明されてもよい。
【００２１】
前記絵柄は、英数文字記号情報、図形情報および画像情報の少なくとも一つを含んでいてもよい。
【００２２】
前記発光部は、
一対の主面から面発光する導光板と、
前記一対の主面に連なる対向配置された一対の側面に沿って配置される一対の光源と、を有していてもよい。
【００２３】
前記発光部は、一方向に延在する線状光源、または一方向に配列された複数の点光源からなる線状光源を有していてもよい。
【００２４】
また、本発明の一態様では、対向する第１主面および第２主面を有し、これら第１主面および第２主面から光を発光する発光部と、
前記発光部の前記第１主面に対向して配置され、蓄光物質を含有する第１光制御層と、
前記発光部の前記第２主面に対向して配置され、蓄光物質を含有する第２光制御層と、
前記第１光制御層の前記発光部が配置される側とは反対側、前記第２光制御層の前記発光部が配置される側とは反対側、前記第１光制御層と前記発光部との間、および前記第２光制御層と前記発光部との間の少なくとも一つに配置され、前記発光部および前記蓄光物質からの光で照明される絵柄が形成された絵柄層とを備える照明看板装置が提供される。
【発明の効果】
【００２５】
本発明によれば、人工的な光源を利用した両面照明を行うことができ、かつ蓄光物質の自己発光機能を利用した両面照明をも行うことができる。
【図面の簡単な説明】
【００２６】
【図１】本発明の第１の実施形態による照明装置１の斜視図。
【図２】図１のＡ−Ａ線断面図。
【図３】第１光制御層２と第２光制御層４の詳細な構造を示す断面図。
【図４】冷陰極管の一種である蛍光管１２を複数並行に配置した発光部３の例を示す図。
【図５】照明看板装置２０の斜視図。
【図６】図５のＡ−Ａ線断面図。
【図７】第１光制御層２と発光部３との間に第１絵柄層２１を配置し、第２光制御層４と発光部３との間に第２絵柄層２２を配置した照明看板装置の斜視図。
【図８】第１光制御層２や第２光制御層４を積層する例を示す図。
【発明を実施するための形態】
【００２７】
以下、図面を参照して本発明の実施形態について説明する。図１〜図７においては、図示と理解のしやすさの便宜上、適宜縮尺および縦横の寸法比等を、実物のそれらから変更し誇張してある。
【００２８】
また、本明細書において用いる、形状や幾何学的条件並びにそれらの程度を特定する用語、例えば、「平行」、「直交」、「三角形形状」等の用語や角度の値等については、同様の光学的機能を期待し得る程度の誤差範囲を含めて解釈することとする。
さらに、本明細書において、「シート」、「層」、「板」、「フィルム」の用語は、呼称の違いのみに基づいて、それぞれ区別されるものではない。例えば、「シート」は層やフィルムと呼ばれ得るような部材も含む概念である。
【００２９】
また、「シート面（板面、フィルム面）」とは、対象となるシート状（層状、板状、フィルム状）の部材を全体的かつ大局的に見た場合の平面を指し、多少の凹凸は許容するものとする。
【００３０】
（第１の実施形態）
図１は本発明の第１の実施形態による照明装置１の斜視図、図２は図１のＡ−Ａ線断面図である。本実施形態による照明装置１は、第１光制御層２、発光部３および第２光制御層４をこの順で積層した構造である。第１光制御層２の表面すなわち第１光制御層２の発光部３とは反対側の面と、第２光制御装置の表面すなわち第２光制御層４の発光部３とは反対側の面とは、照明装置１の一対の主面であり、これら主面で両面発光を行う。また、照明装置１は、発光部３の発光を停止させても所定期間内は、第１光制御層２と第２光制御層４に含まれる蓄光物質の自己発光を利用して両面発光を継続することを特徴としている。
【００３１】
発光部３は、図２に示すように、導光板５と、この導光板５の一対の主面５ａ，５ｂに連なる一対の側面５ｃ，５ｄに沿って配置される一対の光源６とを有する。図１の例では、光源６として複数のＬＥＤ（発光ダイオード）を用いている。これらＬＥＤは、導光板５の各側面に沿って、図２の紙面の表裏方向に所定間隔で複数個ずつ配置されている。なお、光源６はＬＥＤ以外の点光源（例えば、半導体レーザなど）でもよいし、あるいは、冷陰極管などの線状光源でもよい。線状光源を用いる場合は、線状光源の長手方向を図２の紙面の表裏方向に配置することになる。
【００３２】
導光板５は、一対の平行な主面５ａ，５ｂを有する平板状の部材である。これら一対の主面５ａ，５ｂに連なる側面のうち一側面５ｃと、この一側面に対向する別の一側面５ｄとが入光面である。導光板５の入光面５ｃに沿って配置された光源６から放射された光は、入光面５ｃから導光板５の内部に進行し、導光板５の対向する一対の主面５ａ，５ｂで反射を繰り返しながら、入光面５ｃに対向する他の入光面５ｄ側に進行する。導光板５の一対の主面５ａ，５ｂには、光を拡散させる機能を有する不図示の光拡散部材が配置されている。導光板５の内部を進行する光は、一対の主面５ａ，５ｂで全反射されるとともに、光の一部は光拡散部材にも入射され、この光拡散部材で光の進行方向が変化させられる。結果として、導光板５の一対の主面５ａ，５ｂには全反射臨界条件を満たさない光が入射されるようになり、この光は主面で反射されずに導光板５から出射される。このようにして、導光板５の一対の主面５ａ，５ｂから出射された光は、導光板５の両側に配置された第１光制御層２と第２光制御層４にそれぞれ入射される。
【００３３】
図３は第１光制御層２と第２光制御層４の詳細な構造を示す断面図である。第１光制御層２は、一方の面２ｂに沿って離隔して配置される複数の第１溝２ａを有する第１ベース部７と、複数の第１溝２ａ内に蓄光物質を含む光制御材料を充填して形成される複数の第１ルーバー部８と、を有する。
【００３４】
同様に、第２光制御層４は、一方の面４ｂに沿って離隔して配置される複数の第２溝４ａを有する第２ベース部９と、複数の第２溝４ａ内に蓄光物質を含む光制御材料を充填して形成される複数の第２ルーバー部１０と、を有する。
【００３５】
第１光制御層２における複数の第１ルーバー部８のうち少なくとも一部のルーバー部は、一方の面２ｂに連なる第１面２ｃおよび第２面２ｄを有する。第１ルーバー部８と第１ベース部７とでは、例えば互いに相違する屈折率を持っている。この場合、第１ルーバー部８は、第１ベース部７との界面のうち第１面２ｃにおいて、第１ベース部７と第１ルーバー部８との屈折率差に基いて光の進行方向を変化させる。図１では、図示されたすべての第１ルーバー部８が形状の異なる第１面２ｃおよび第２面２ｄを有する非対称形状の例を示しているが、一部の第１ルーバー部８については、一方の面２ｂに連なる２つの面の形状が等しい対称形状であってもよい。また、後述するように、すべての第１ルーバー部８が対称形状の場合もありうる。
【００３６】
第１ルーバー部８の第１面２ｃと第２面２ｄの形状を互いに相違させる例としては、例えば、以下の（ａ）〜（ｄ）が考えられる。
【００３７】
（ａ）第１面２ｃと第２面２ｄのサイズおよび傾斜角度の少なくとも一方が異なる。
【００３８】
（ｂ）第１面２ｃと第２面２ｄの曲率が互いに相違する。例えば、いずれか一方の面は、平面で、他方は曲面の場合や、両方の面ともに曲面だが曲率が相違する場合などである。
【００３９】
（ｃ）第１面２ｃと第２面２ｄの少なくとも一方が傾斜角度の異なる複数の面部からなり、これらの面部の総数が第１面２ｃと第２面２ｄとで異なる。
【００４０】
（ｄ）第１面２ｃと第２面２ｄの少なくとも一方に凹凸があり、その凹凸の有無または凹凸の位置や数が第１面２ｃと第２面２ｄとで異なる。例えば、第１面２ｃは反射しやすいように滑らかな面で構成され、第２面２ｄは反射しにくいように粗面化されている場合などである。
【００４１】
図１では、第１面２ｃを傾斜面、第２面２ｄを一方の面２ｂの法線方向に延びる面としているが、第１面２ｃと第２面２ｄの形状は図１に図示したものに限定されない。
【００４２】
上記では、第１光制御層２における第１ルーバー部８の構造について説明したが、第２光制御層４における第２ルーバー部１０の構造も第１ルーバー部８と同様であり、ここでは説明を省略する。なお、第２ルーバー部１０の形状や数は、第１ルーバー部８の形状や数とは異なっていてもよい。このように、第１ルーバー部８と第２ルーバー部１０の断面形状は、台形や三角形などの任意の形状を取り得る。
【００４３】
上述したように、第１ルーバー部８と第２ルーバー部１０には、蓄光物質１１を含む光制御材料が充填されている。ここで「蓄光物質１１」とは、燐光を発する物質である。すなわち、蓄光物質１１は、照明光による光エネルギーを吸収及び蓄積（蓄光）し、蓄光物質１１への光エネルギーの照射が終了した後においても、それまでに蓄積した光を放出して発光する性質を有している。したがって、光を吸収および蓄積した蓄光物質１１を含有した第１ルーバー部８および第２ルーバー部１０は、その後、暗闇において発光体として機能することができる。このような蓄光物質１１として、例えば、硫化カルシウム／ビスマス系蓄光物質、硫化カルシウム・ストロンチウム／ビスマス系蓄光物質、硫化亜鉛／銅系蓄光物質、硫化亜鉛・カドミウム／銅系蓄光物質、アルミン酸ストロンチウム系蓄光物質、硫化亜鉛／銅系蓄光物質、アルミン酸ストロンチウム系蓄光物質を用いることができる。
【００４４】
第１ベース部７および第２ベース部９は、蓄光物質１１が可視光の吸収および放出を行うことができるよう、透明な材料から構成されている。第１ベース部７および第２ベース部９に用いられる材料として、例えば、樹脂材料、とりわけ電離放射線の照射により硬化する電離放射線硬化性樹脂を用いることができる。電離放射線硬化性樹脂としては、紫外線硬化性樹脂、電子線硬化性樹脂、可視光線硬化性樹脂、近赤外線硬化性樹脂等が挙げられる。
【００４５】
なお、詳しくは後述するように、第１光制御層２および第２光制御層４に対して燐光を発する機能以外の光制御機能を付与してもよい。例えば、第１ベース部７および第２ベース部９の屈折率を、第１ルーバー部８および第２ルーバー部１０をなす材料の屈折率と相違させてもよい。この場合、第１ベース部７および第２ベース部９と第１ルーバー部８および第２ルーバー部１０との界面が、屈折率差を有して光を反射する反射面として機能する。
【００４６】
また、第１ルーバー部８および第２ルーバー部１０が、第１ベース部７および第２ベース部９及び蓄光物質１１とともに、所定の機能を発揮することを期待された機能性粒状物をさらに含有してもよい。機能性粒状物としては、特定波長域の光、例えば可視光を吸収する機能を有した顔料や染料等の色素、可視光内のさらに特定波長域の光を吸収する機能を有した顔料や染料等の色素、熱線を吸収する機能を有した粒状物、紫外線を吸収する機能を有した粒状物を用いることができる。
【００４７】
なお、本明細書において、「可視光」及び「熱線」とは、それぞれ、可視光または熱線として一般的に定義される波長領域の光をいう。具体的には、本明細書において、「可視光」は、波長が３８０ｎｍ〜７８０ｎｍの範囲内となる光とする。また、本明細書において、「熱線」は、可視光よりも長波長となる赤外光または赤外光線であって、具体的には、温度上昇に大きな影響を与え得る９００ｎｍ〜２５００ｎｍの範囲内となる光とする。
【００４８】
可視光を吸収する機能を有した粒状物としては、カーボンブラックやチタンブラック等の黒色顔料を例示することができる。このような色素を機能性粒状物として第１ルーバー部８および第２ルーバー部１０が含む場合、第１光制御層２および第２光制御層４が遮光機能を発揮することができる。可視光内のさらに特定波長域の光を吸収する機能を有した色素を機能性粒状物として第１ルーバー部８および第２ルーバー部１０が含む場合、第１光制御層２および第２光制御層４が第１ルーバー部８および第２ルーバー部１０に起因して色味を有することになり、第１光制御層２および第２光制御層４自体の意匠性を向上させることができる。
【００４９】
熱線を吸収する機能を有した粒状物として、赤外光領域に吸収特性を有し且つ可視光領域に透過特性を有する粒状物を用いることができる。例えば、アンチモン錫酸化物（ＡＴＯ）、インジウム錫酸化物（ＩＴＯ）、六ホウ化ランタン（ＬａＢ６）、アルミニウムドープ酸化亜鉛、インジウムドープ酸化亜鉛、ガリウムドープ酸化亜鉛、酸化タングステン、六ホウ化セリウム、無水アンチモン酸亜鉛および硫化銅またはそれらの混合物のナノ粒子等を、熱線吸収性を有した機能性粒状物として、用いることができる。熱線吸収性を有した機能性粒状物を第１ルーバー部８および第２ルーバー部１０が含む場合、第１光制御層２および第２光制御層４が遮熱機能を発揮することができる。
【００５０】
その他の例として、第１ルーバー部８および第２ルーバー部１０が、蛍光物質を機能性粒状物として含んでいても良い。蛍光物質は、光を照射されると光を発する性質を有した物質である。したがって、蛍光物質からなる機能性粒状物は、蓄光物質１１で発光された燐光を受光して、光を放つようになる。第１ルーバー部８および第２ルーバー部１０が、蛍光物質からなる機能性粒状物を含む場合、第１光制御層２および第２光制御層４の光を発光する機能を補強することができる。また、蛍光物質からなる機能性粒状物が発光する光の波長域と、蓄光物質１１が発光する光の波長域とが異なる場合には、発光色の色味を調整することができ、第１光制御層２および第２光制御層４の発光時における意匠性を向上させることができる。
【００５１】
次に、本実施形態による照明装置１の動作を説明する。光源６を点灯すると、発光部３内の導光板５の一対の主面５ａ，５ｂから光が出射して、第１光制御層２と第２光制御層４に入射される。第１光制御層２と第２光制御層４における第１ルーバー部８と第２ルーバー部１０内の蓄光物質１１は、この光を吸収して蓄光する。また、第１光制御層２と第２光制御層４における第１ベース部７と第２ベース部９は、導光板５の一対の主面５ａ，５ｂからの光をそのまま透過させる。よって、照明装置１の両主面は、発光部３内の導光板５の一対の主面５ａ，５ｂからの光により照明されることになる。
【００５２】
その後、光源６が消灯すると、導光板５の一対の主面５ａ，５ｂは発光しなくなるが、第１光制御層２と第２光制御層４における第１ルーバー部８と第２ルーバー部１０は、蓄光物質１１に蓄光された光で発光し続ける。よって、照明装置１の両主面は、光源６が消灯しても、蓄光物質１１が発光している間は、照明を継続する。
【００５３】
なお、蓄光物質１１が蓄光した光で照明を継続可能な期間は、蓄光物質１１の種類によっても異なるが、数十分（例えば３０分）程度である。蓄光物質１１の発光強度は、光源６の光強度に比べるとはるかに弱く、また、蓄光物質１１の種類に応じた特有の色で発光する。よって、光源６を消灯したときの照明装置１の照明色は、光源６を点灯したときの照明装置１の照明色とは相違してしまう可能性もある。ただし、蓄光物質１１の種類を適切に選択したり、第１ルーバー部８や第２ルーバー部１０に他の蛍光物質等を含有させることで、光源６の消灯時の照明色を点灯時の照明色に近づけることは技術的には可能である。
【００５４】
図１および図２では、光源６と導光板５にて両面発光を行う発光部３の例を説明したが、導光板５の側面に沿って光源６と導光板５を配置する代わりに、線状光源を配置してもよい。線状光源としては、蛍光管等の冷陰極管でもよいし、あるいは、複数の点光源を所定間隔で配置して擬似的な線状光源を形成してもよい。
【００５５】
図４は冷陰極管の一種である蛍光管１２を複数並行に配置した発光部３の例を示す図である。図４の場合、蛍光管の真上とそれ以外では光強度が異なるため、蛍光管の上下に拡散板を配置して、面内強度の均一化を図ってもよい。
【００５６】
このように、第１の実施形態では、両面発光を行う発光部３の両主面側に第１光制御層２と第２光制御層４を配置し、第１光制御層２内の第１ルーバー部８と第２光制御層４内の第２ルーバー部１０に蓄光物質１１を含有させるため、発光部３で発光された光を蓄光物質１１に蓄光させることができる。よって、発光部３が発光を停止しても、しばらくの間は、蓄光物質１１の自己発光機能により照明装置１での照明を継続でき、照明装置１の強制発光期間を短縮できることから、照明装置１の消費電力を削減できる。例えば、第１の実施形態によれば、蓄光物質１１が発光し続けている間は発光部３での発光を停止し、蓄光物質１１の発光が弱くなると、蓄光物質１１が光を蓄光するのに必要最低限の時間だけ発光部３を発光させるという使い方が可能となり、照明装置１での消費電力を大幅に削減できる。
【００５７】
また、第１の実施形態による照明装置１は、蓄光物質１１を含有する第１光制御層２と第２光制御層４を発光部３の両主面側に配置しているため、発光部３が発光を停止したときに、蓄光物質１１を用いて照明装置１の両主面での発光が可能となり、照明装置１が強制発光を停止しても、一定の照明効果が得られる。
【００５８】
（第２の実施形態）
以下に説明する第２の実施形態は、本発明を照明看板装置に適用した例である。照明看板装置は、夜間等に絵柄を照明して宣伝効果を高めるものであり、店舗等の入口付近に設けられることが多い。
【００５９】
図５はこの種の照明看板装置２０の斜視図、図６は図５のＡ−Ａ線断面図である。図５と図６では、図１および図２と共通する構成部材には同一符号を付しており、以下では相違点を中心に説明する。
【００６０】
図５の照明看板装置２０は、第１絵柄層２１、第１光制御層２、発光部３、第２光制御層４および第２絵柄層２２をこの順で積層した構造である。すなわち、図５の照明看板装置２０は、図１の照明装置１の両主面側の最表面に第１絵柄層２１と第２絵柄層２２をそれぞれ配置した構造になっている。
【００６１】
第２の実施形態による照明看板装置２０における第１光制御層２、発光部３および第２光制御層４は、第１の実施形態による照明装置１と同様に構成可能であり、発光部３は、図のように光源６と導光板５で構成してもよいし、図４のように冷陰極管や複数の点光源からなる線状光源で構成してもよい。
【００６２】
第１絵柄層２１と第２絵柄層２２に設けられる絵柄は、英数文字記号情報、図形情報および画像情報の少なくとも一つを含み、看板として機能しうる情報からなる。第１絵柄層２１と第２絵柄層２２は、望ましくは光透過性を持っており、第１光制御層２と第２光制御層４を通過した光を透過させる。これにより、光源６が点灯している間は、導光板５の一対の主面５ａ，５ｂから出射された光にて第１絵柄層２１と第２絵柄層２２は明るく照明され、また、光源６が消灯してから所定期間は、第１光制御層２と第２光制御層４における第１ルーバー部８と第２ルーバー部１０内の蓄光物質１１が発光した光にて第１絵柄層２１と第２絵柄層２２の照明が継続される。
【００６３】
なお、第１絵柄層２１と第２絵柄層２２に透過型の絵柄が形成されている場合は、第１絵柄層２１に形成されている絵柄と第２絵柄層２２に形成されている絵柄は、できれば同じであるのが望ましい。その理由は、照明看板装置２０を構成する各層は透過性を持っているため、第１絵柄層２１と第２絵柄層２２に形成されている絵柄が異なっていると、奥の絵柄が透けて視認されてしまい、照明される絵柄と重なって、絵柄が視認しにくくなったり、絵柄がぼやけて視認されるおそれがあるためである。
【００６４】
また、第１絵柄層２１と第２絵柄層２２に半透過で半反射の絵柄が形成されている場合には、図７に示すように、第１光制御層２と発光部３との間に第１絵柄層２１を配置するとともに、第２光制御層４と発光部３との間に第２絵柄層２２を配置してもよい。
【００６５】
図７の場合、発光部３の光源６が点灯しているときは、第１絵柄層２１と第２絵柄層２２は発光部３からの光を受けて照明され、発光部３の光源６が消灯してから所定期間は、第１絵柄層２１は第１光制御層２内の第１ルーバー部８における蓄光物質１１の光を反射させ、第２絵柄層２２は第２光制御層４内の第２ルーバー部１０における蓄光物質１１の光を反射させる。
【００６６】
このように、第２の実施形態では、発光部３が発光している間は、第１絵柄層２１と第２絵柄層２２を発光部３で照明し、発光部３が発光を停止してから所定期間内は、第１光制御層２と第２光制御層４内の第１ルーバー部８と第２ルーバー部１０における蓄光物質１１の発光を利用して第１絵柄層２１と第２絵柄層２２を照明する。よって、照明看板装置２０の発光部３を発光させる時間を短縮でき、消費電力の削減が図れる。特に、本実施形態では、照明看板装置２０の両主面の一方に第１絵柄層２１と第１光制御層２を配置し、他方に第２絵柄層２２と第２光制御層４を配置するため、各主面側の絵柄を対応する光制御層内の蓄光物質１１で照明でき、照明看板装置２０が強制発光を停止した場合でも、所定期間内は両主面の絵柄を蓄光物質１１による自己発光機能を利用して照明できる。
【００６７】
また、照明看板装置２０の発光部３の発光を停止してから所定期間内は、第１ルーバー部８と第２ルーバー部１０内の蓄光物質１１の種類に応じた発光色および発光強度で絵柄を照明することになるため、発光部３を発光させている状態とは異なった色合いおよび光強度で絵柄を照明することになり、発光部３が発光している場合と消灯している場合で、絵柄の表示形態に違いを持たせることができ、視覚効果が向上して広告宣伝効果をより高めることができる。
【００６８】
（第３の実施形態）
第１の実施形態による照明装置１と第２の実施形態による照明看板装置２０との少なくとも一方において、蓄光物質１１による自己発光強度を高めるには、第１光制御層２内の第１ルーバー部８と第２光制御層４内の第２ルーバー部１０とに含有させる蓄光物質１１の量を増やす他に、第１光制御層２を複数枚積層するとともに、第２光制御層４を複数枚積層することが考えられる。一般には、積層する総数を増やすほど、蓄光物質１１による自己発光量が高くなる。
【００６９】
この場合、図８に示すように、第１光制御層２における第１ルーバー部８の長手方向が所定角度（例えば、２０度）以上相違するように各第１光制御層２を積層するのが望ましい。第２光制御層４を積層する場合も同様である。このように、第１ルーバー部８および第２ルーバー部１０の長手方向を各層ごとに所定角度以上相違させる理由は、所定角度未満しか相違させないと、モアレが視認されてしまうためである。モアレの見え方は、第１ルーバー部８や第２ルーバー部１０の数や幅、間隔等によって相違するため、実際に積層する第１光制御層２と第２光制御層４ごとに、各ルーバー部をずらす角度を調整するのが望ましい。
【００７０】
このように、第３の実施形態では、第１光制御層２（第２光制御層４）を複数積層する際に第１ルーバー部８（第２ルーバー部１０）の長手方向が所定角度以上相違するように積層するため、モアレを生じさせることなく積層することができ、蓄光物質１１による自己発光強度を高めることができる。
【００７１】
上述した第１〜第３の実施形態では、第１光制御層２内の第１ルーバー部８と第２光制御層４内の第２ルーバー部１０がそれぞれ一方向に延びている例を示したが、第１ルーバー部８と第２ルーバー部１０の少なくとも一方は複数方向に延びていてもよい。また、ルーバー形状ではない溝を第１ベース部７と第２ベース部９の少なくとも一方に設けて、この溝内に蓄光物質１１を充填してもよい。さらに、上述した第１〜第３の実施形態では、第１光制御層２内の第１ルーバー部８と第２光制御層４内の第２ルーバー部１０とに蓄光物質１１を含有させる例を示したが、第１光制御層２や第２光制御層４の全体に蓄光物質１１を含有させてもよい。この場合、第１光制御層２や第２光制御層４に第１ルーバー部８や第２ルーバー部１０を設ける必要はない。このように、本発明では、第１光制御層２と第２光制御層４の内部に何らかの手法により蓄光物質１１を含有させればよい。
【実施例】
【００７２】
以下に、第１の実施形態による照明装置１を作製するための一実施例について説明する。この実施例では、発光部３内の光源６として、直径が４ｍｍの球形のＬＥＤチップを９ｍｍ間隔で複数個、導光板５の両側面に配置した。導光板５としては、住友ベークライト株式会社製のルミキング  LK100-B 5mmtを用いた。
【００７３】
蓄光物質１１を含有する蓄光インキとして、十条ケミカル株式会社製のスーパーグロスインキを用いた。このインキは、蓄光物質１１とバインダー樹脂を２：１の割合で含んでおり、蓄光物質１１は、根本ルミマテリアル株式会社製のGLL-300FF（平均粒径３μｍ）である。
【００７４】
次に、本実施例による照明装置１の作製方法について説明する。まず、第１ルーバー部８用の第１溝２ａが形成された第１ベース部７と、第２ルーバー部１０用の第２溝４ａが形成された第２ベース部９とを生成する。第１溝２ａと第２溝４ａは、切削加工や金型を用いた賦形工程により形成可能である。
【００７５】
次に、第１ベース部７の第１溝２ａと第２ベース部９の第２溝４ａに、上述した蓄光インキをスキージで充填し、オーブン内で約６０℃に加熱して乾燥させる。これにより、第１光制御層２と第２光制御層４が作製される。
【００７６】
次に、導光板５の一対の主面５ａ，５ｂの一方に第１光制御層２を対向配置して接合し、他方に第２光制御層４を対向配置して接合する。第１光制御層２を複数積層する場合は、各層における第１ベース部７の長手方向を２０度以上相違させる。第２光制御層４を複数積層する場合も同様である。次に、導光板５の両側面に沿って上述した複数のＬＥＤチップからなる光源６を配置する。
【００７７】
以上の工程により作製された照明装置１の両側の最表面層にそれぞれ第１絵柄層２１と第２絵柄層２２を接合すれば、第２の実施形態の照明看板装置２０が得られる。
【００７８】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７９】
１  照明装置、２  第１光制御層、３  発光部、４  第２光制御層、５  導光板、６  光源、７  第１ベース部、８  第１ルーバ部、９  第２ベース部、１０  第２ルーバー部、１１  蓄光物質、１２  蛍光管、２０  照明看板装置、２１  第１絵柄層、２２  第２絵柄層
【図１】
2015203705.tif 000003
【図２】
2015203705.tif 000004
【図３】
2015203705.tif 000005
【図４】
2015203705.tif 000006
【図５】
2015203705.tif 000007
【図６】
2015203705.tif 000008
【図７】
2015203705.tif 000009
【図８】
2015203705.tif 000010